【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
所定の撮影パラメータの値を異ならせて撮影を行うブラケット撮影により得られた複数の画像データのうち、前記撮影パラメータの値の差分が閾値以下である２つの画像データを類似画像データと判定する判定手段と、
前記判定手段により類似画像データと判定された２つの画像データのうち一方の画像データを削除する削除手段と、
を有する画像処理装置。
【請求項２】
前記判定手段は、前記複数の画像データのうち、前記撮影パラメータの値の差分に所定の係数を乗じた値と、前記撮影パラメータ以外の撮影パラメータの値の差分に前記所定の係数より小さい値を乗じた値と、の和が閾値以下である２つの画像データを類似画像データと判定する請求項１に記載の画像処理装置。
【請求項３】
前記判定手段は、前記複数の画像データのうち、対応する画素同士の画素値の差分の総和が閾値以下である２つの画像データを類似画像データと判定する請求項１に記載の画像処理装置。
【請求項４】
前記所定の撮影パラメータは露出であり、
前記判定手段は、前記複数の画像データのうち、輝度値の差分が閾値以下である２つの画像データを類似画像データと判定する請求項１に記載の画像処理装置。
【請求項５】
前記所定の撮影パラメータはフォーカス枠の位置であり、
前記判定手段は、前記複数の画像データのうち、対応するフォーカス枠内の画素同士の画素値の差分の総和が閾値以下である２つの画像データを類似画像データと判定する請求項１に記載の画像処理装置。
【請求項６】
前記判定手段により類似画像データと判定された２つの画像データのうち一方の画像データの削除を実行するか否かの指示をユーザに入力させる入力手段を有し、
前記削除手段は、ユーザにより前記指示が入力された場合に、前記類似画像データと判定された２つの画像データのうち一方の画像データの削除を実行する請求項１から５のいずれか１項に記載の画像処理装置。
【請求項７】
前記判定手段は、前記ブラケット撮影により得られた画像データが３つ以上ある場合、当該３つ以上の画像データのうちから前記撮影パラメータの値の差分が閾値以下である２つの画像データを類似画像データとして選び出し、
前記削除手段は、前記判定手段により選ばれた前記類似画像データの２つの画像データのうち一方の画像データを削除する請求項１から６のいずれか１項に記載の画像処理装置。
【請求項８】
前記判定手段は、前記撮影パラメータの値の差分が閾値以下である２つの画像データの組み合わせが複数通りある場合、いずれかの組み合わせを類似画像データとして選び出す請求項７に記載の画像処理装置。
【請求項９】
前記削除手段は、ユーザの指定する代表画像は削除しない請求項１から８のいずれか１項に記載の画像処理装置。
【請求項１０】
前記判定手段は、前記複数の画像データを、前記撮影パラメータの値の差分が閾値以下という条件を満たす画像データの集合によりグループ分けし、
前記削除手段は、複数の画像データを含むグループに関して、当該グループに属する画像データのうち少なくとも１つを残し他を削除する請求項１から９のいずれか１項に記載の画像処理装置。
【請求項１１】
前記画像データは動画像の画像データであり、
前記判定手段は、動画像の全てのフレーム、数フレームおきに抽出した複数のフレーム、又はシーンチェンジを検出してシーン毎に抽出した複数のフレームについて、前記類似画像データであるか判定を行い、判定を行った全てのフレームについて類似画像データと判定した場合に、２つの動画像の画像データは類似していると判定する請求項１から１０のいずれか１項に記載の画像処理装置。
【請求項１２】
前記削除手段は、記録メディアの空き容量が不足したときに、前記画像データの削除を行う請求項１から１１のいずれか１項に記載の画像処理装置。
【請求項１３】
所定の撮影パラメータの値を異ならせて撮影を行うブラケット撮影により得られた複数の画像データのうち、前記撮影パラメータの値の差分が閾値以下である２つの画像データを類似画像データと判定する判定工程と、
前記判定工程により類似画像データと判定された２つの画像データのうち一方の画像データを削除する削除工程と、
を有する画像処理装置の制御方法。
【請求項１４】
前記判定工程では、前記複数の画像データのうち、前記撮影パラメータの値の差分に所定の係数を乗じた値と、前記撮影パラメータ以外の撮影パラメータの値の差分に前記所定の係数より小さい値を乗じた値と、の和が閾値以下である２つの画像データを類似画像データと判定する請求項１３に記載の画像処理装置の制御方法。
【請求項１５】
前記判定工程では、前記複数の画像データのうち、対応する画素同士の画素値の差分の総和が閾値以下である２つの画像データを類似画像データと判定する請求項１３に記載の画像処理装置の制御方法。
【請求項１６】
前記所定の撮影パラメータは露出であり、
前記判定工程では、前記複数の画像データのうち、輝度値の差分が閾値以下である２つの画像データを類似画像データと判定する請求項１３に記載の画像処理装置の制御方法。
【請求項１７】
前記所定の撮影パラメータはフォーカス枠の位置であり、
前記判定工程では、前記複数の画像データのうち、対応するフォーカス枠内の画素同士の画素値の差分の総和が閾値以下である２つの画像データを類似画像データと判定する請求項１３に記載の画像処理装置の制御方法。
【請求項１８】
前記判定工程により類似画像データと判定された２つの画像データのうち一方の画像データの削除を実行するか否かの指示をユーザに入力させる入力工程を有し、
前記削除工程では、ユーザにより前記指示が入力された場合に、前記類似画像データと判定された２つの画像データのうち一方の画像データの削除を実行する請求項１３から１７のいずれか１項に記載の画像処理装置の制御方法。
【請求項１９】
前記判定工程では、前記ブラケット撮影により得られた画像データが３つ以上ある場合、当該３つ以上の画像データのうちから前記撮影パラメータの値の差分が閾値以下である２つの画像データを類似画像データとして選び出し、
前記削除工程では、前記判定工程により選ばれた前記類似画像データの２つの画像データのうち一方の画像データを削除する請求項１３から１８のいずれか１項に記載の画像処理装置の制御方法。
【請求項２０】
前記判定工程では、前記撮影パラメータの値の差分が閾値以下である２つの画像データの組み合わせが複数通りある場合、いずれかの組み合わせを類似画像データとして選び出す請求項１９に記載の画像処理装置の制御方法。
【請求項２１】
前記削除工程では、ユーザの指定する代表画像は削除しない請求項１３から２０のいずれか１項に記載の画像処理装置の制御方法。
【請求項２２】
前記判定工程では、前記複数の画像データを、前記撮影パラメータの値の差分が閾値以下という条件を満たす画像データの集合によりグループ分けし、
前記削除工程では、複数の画像データを含むグループに関して、当該グループに属する画像データのうち少なくとも１つを残し他を削除する請求項１３から２１のいずれか１項に記載の画像処理装置の制御方法。
【請求項２３】
前記画像データは動画像の画像データであり、
前記判定工程では、動画像の全てのフレーム、数フレームおきに抽出した複数のフレーム、又はシーンチェンジを検出してシーン毎に抽出した複数のフレームについて、前記類似画像データであるか判定を行い、判定を行った全てのフレームについて類似画像データと判定した場合に、２つの動画像の画像データは類似していると判定する請求項１３から２２のいずれか１項に記載の画像処理装置の制御方法。